(57)【要約】【課題】伝送路ごとの回線品質を効率的に評価することを課題とする。【解決手段】ＶＣＡＴ伝送装置１０は、擬似ランダムビット系列のテスト信号をコピーし、ＶＣＡＴ信号のメンバにそれぞれ同一のＰＲＢＳ信号を挿入するように制御し、ＰＲＢＳ信号が挿入されたＶＣＡＴ信号の各メンバを複数の伝送路で対向装置に送信する。その後、対向側のＶＣＡＴ伝送装置１０は、ＶＣＡＴ信号の各メンバを受信し、受信されたＶＣＡＴ信号のメンバに挿入されているＰＲＢＳ信号を用いて、ＶＣＡＴ信号のメンバ毎にエラーレートを評価し、各伝送路の回線品質を算出する。【選択図】        図１
2010193102.tif 000002
【特許請求の範囲】
【請求項１】
擬似ランダムビット系列のテスト信号をコピーし、コンカチネーション信号のメンバにそれぞれ同一のテスト信号を挿入するように制御するテスト信号制御部と、
前記テスト信号制御部によって前記テスト信号が挿入されたコンカチネーション信号の各メンバを複数の伝送路で対向装置に送信するコンカチネーション信号送信部と、
前記対向装置から前記コンカチネーション信号の各メンバを受信するコンカチネーション信号受信部と、
前記コンカチネーション信号受信部によって受信された前記コンカチネーション信号のメンバに挿入されているテスト信号を用いて、コンカチネーション信号のメンバを個別に評価し、各伝送路の回線品質を算出する個別回線品質算出部と、
を備えることを特徴とする伝送装置。
【請求項２】
前記テスト信号制御部は、前記テスト信号をコンカチネーション信号全体に対して挿入し、
前記コンカチネーション信号受信部によって受信された前記コンカチネーション信号全体に挿入されているテスト信号を用いて、前記コンカチネーション信号全体の回線品質を算出する全体回線品質算出部をさらに備えることを特徴とする請求項１に記載の伝送装置。
【請求項３】
前記コンカチネーション信号評価部は、算出された前記各伝送路の回線品質を用いて、コンカチネーション信号全体の回線品質を算出することを特徴とする請求項１または２に記載の伝送装置。
【請求項４】
擬似ランダムビット系列のテスト信号をコピーし、コンカチネーション信号のメンバにそれぞれ同一のテスト信号を挿入するように制御するテスト信号制御ステップと、
前記テスト信号制御ステップによって前記テスト信号が挿入されたコンカチネーション信号の各メンバを複数の伝送路で対向装置に送信するコンカチネーション信号送信ステップと、
前記対向装置から前記コンカチネーション信号の各メンバを受信するコンカチネーション信号受信ステップと、
前記コンカチネーション信号受信ステップによって受信された前記コンカチネーション信号のメンバに挿入されているテスト信号を用いて、コンカチネーション信号のメンバを個別に評価し、各伝送路の回線品質を算出する個別回線品質算出ステップと、
を含んだことを特徴とする回線品質評価方法。
【発明の詳細な説明】
【技術分野】
【０００１】
この発明は、伝送されるＶｉｒｔｕａｌ  Ｃｏｎｃａｔｅｎａｔｉｏｎ（ＶＣＡＴ）信号の回線品質を評価する伝送装置および回線品質評価方法に関する。
【背景技術】
【０００２】
従来より、Ｖｉｒｔｕａｌ  Ｃｏｎｃａｔｅｎａｔｉｏｎ（ＶＣＡＴ）伝送をおこなうＥｏＯ（Ｅｔｅｒ  ｏｖｅｒ  ＯＴＮ）ネットワークにおいて、ＰＲＢＳ（Ｐｓｅｕｄｏ−Ｒａｎｄｏｍ  Ｂｉｔ  Ｓｅｑｕｅｎｃｅ）信号などのテスト信号の伝送により、伝送路の回線品質情報を測定することがＩＴＵ−Ｔ  Ｇ．７０９（ＯＴＮ）により規定されている。また、現状ＩＴＵ−Ｔ等での規定はないが、ＥｏＳ（Ｅｔｈｅｒ  ｏｖｅｒ  ＳＤＨ／ＳＯＮＥＴ）／ＥｏＰ（Ｅｔｈｅｒ  ｏｖｅｒ  ＰＤＨ）ネットワークでもＯＴＮと同様にＰＲＢＳ信号をテスト信号とした回線品質情報の測定を行うことが求められている。
【０００３】
このようなＥｏＳネットワークでは、図７に示すように、１ＧｂＥ信号をＦＵＬＬ伝送する際に、ＶＣ４を７本仮想的（Ｖｉｒｔｕａｌ）に連結（Ｃｏｎｃａｔｅｎａｔｉｏｎ）させ、ＶＣ４−７Ｖ信号としてＳＤＨネットワーク上を伝送させることによって伝送帯域を有効利用している（つまり、ＶＣＡＴ伝送を行わない場合はＶＣ４−１６Ｃでの伝送となり、５０％以上の帯域が無駄となる）。
【０００４】
この際、図７に示すように、個々（７本）のＶＣＡＴメンバ（ＶＣ４信号）は、同一の伝送路を伝送される必要はなく、回線の使用状況に応じて、例えば、４本のＶＣ４と３本のＶＣ４に分けて別々の伝送路上で伝送する場合がある。
【０００５】
このような場合に、ＶＣＡＴ伝送システムのＥｏＳ装置（ＶＣＡＴ伝送装置）では、回線の品質を確認する為に、ＰＲＢＳ信号を用いた回線品質試験機能（ＰＲＢＳ送信機能、ＰＲＢＳモニタ機能）を実装されることが求められている。
【０００６】
具体的には、ＰＲＢＳ信号を用いた回線品質試験を行うために、ＶＣＡＴ全体（上記の例ではＶＣ４−７Ｖ）としての回線品質試験を実施するためのＥｏＳ処理部（図８）や、ＶＣＡＴを意識しない単純なＶＣ  Ｐａｔｈの個別回線品質機能を実施するためのＥｏＳ処理部（図９）が実装されている。
【０００７】
つまり、図８に示すように、ＶＣＡＴ全体（上記の例ではＶＣ４−７Ｖ）のとしての回線品質試験を実施するために、図８のＥｏＳ処理部では、ＶＣＡＴ信号処理部から、ＶＣＡＴ全体に対してシリアルに挿入されたＰＲＢＳ信号を受信し、ＶＣＡＴ全体のエラーレートを算出する。
【０００８】
また、ＶＣＡＴを意識しない単純なＶＣ  Ｐａｔｈの個別回線品質機能を実施するために、図９のＥｏＳ処理部では、各ＶＣ信号処理部＃１〜＃７にそれぞれセレクタを設け、ＰＲＢＳ発生／モニタ機能をメンバ毎に、ＶＣ４の場合は７回、ＶＣ３の場合には２１回セレクトして確認し、個別に回線品質を試験する。また、複数のＰＲＢＳ発生／モニタ機能（ＶＣ４の場合は７組、ＶＣ３の場合には２１組）を設けて、個別に回線品質を試験する方法もある。
【先行技術文献】
【特許文献】
【０００９】
【特許文献１】特開２００１−２６８０３８号公報
【発明の概要】
【発明が解決しようとする課題】
【００１０】
ところで、上記したＶＣＡＴ全体としての回線品質試験を実施する技術では、伝送路が分割された場合を考慮したＶＣＡＴ伝送下でのＶＣＡＴメンバ個別の回線品質を確認することができず、伝送路ごとの回線品質を評価することができないという課題があった。
【００１１】
つまり、従来のＥｏＳ装置では、ＶＣＡＴメンバ個別に伝送される信号はＶＣ−ｎＣ信号がバイトインターリーブされて個別のＶＣ信号に逆多重化後、ＶＣ−ｎＶ信号としてパラレルに伝送されるために、図７のようなネットワークでは３Ｖと４Ｖに分割されて伝送されるためＰＲＢＳの信号系列が壊れてしまう（図１０参照）。
【００１２】
このため、伝送路が分割された場合に、各伝送路のエラーレートを個別に測定することができず、ＶＣＡＴメンバ個別の回線品質を同時に確認することができず、伝送路ごとの回線品質を評価することができないという課題があった。
【００１３】
また、上記したＶＣＡＴを意識しない単純なＶＣ  Ｐａｔｈの個別回線品質機能を実施する技術では、各ＶＣ信号処理部＃１〜＃７にそれぞれセレクタを設置、または、複数のＰＲＢＳ発生／モニタ機能を設置する必要があるので、非効率であるという課題があった。
【００１４】
そこで、この発明は、上述した従来技術の課題を解決するためになされたものであり、伝送路ごとの回線品質を効率的に評価することを目的とする。
【課題を解決するための手段】
【００１５】
上述した課題を解決し、目的を達成するため、この装置は、擬似ランダムビット（ＰＲＢＳ）系列のテスト信号をコピーし、コンカチネーション信号のメンバにそれぞれ同一のテスト信号を挿入するように制御し、コンカチネーション信号のメンバに挿入されているテスト信号を用いて、コンカチネーション信号のメンバを個別に評価し、各伝送路の回線品質を算出する。
【発明の効果】
【００１６】
開示の装置は、コンカチネーション信号のメンバに挿入されているテスト信号を用いて、コンカチネーション信号のメンバを個別に評価し、各伝送路の回線品質を算出するので、効率的に、伝送路ごとの回線品質を評価できるという効果を奏する。
【図面の簡単な説明】
【００１７】
【図１】図１は、実施例１に係るＶＣＡＴ伝送装置の全体構成を示すブロック図である。
【図２】図２は、ＶＣＡＴ伝送装置におけるＥｏＳ処理部の詳しい構成を示すブロック図である。
【図３】図３は、ＶＣＡＴメンバにコピーマッピングされたＰＲＢＳ信号の信号系列を示す図である。
【図４】図４は、受信時遅延調整することでＰＲＢＳ信号との比較が行われる様子を示す図である。
【図５】図５は、ＶＣＡＴ  ＰＲＢＳエラーレートの算出式を示す図である。
【図６−１】図６−１は、実施例１に係るＶＣＡＴ伝送装置１０の処理動作を示すフローチャートである。
【図６−２】図６−２は、実施例１に係るＶＣＡＴ伝送装置１０の処理動作を示すフローチャートである。
【図７】図７は、従来技術を説明するための図である。
【図８】図８は、従来技術を説明するための図である。
【図９】図９は、従来技術を説明するための図である。
【図１０】図１０は、従来技術を説明するための図である。
【発明を実施するための形態】
【００１８】
以下に添付図面を参照して、この発明に係る伝送装置および回線品質評価方法の実施例を詳細に説明する。
【実施例１】
【００１９】
以下の実施例では、実施例１に係るＶＣＡＴ伝送装置の構成および処理の流れを順に説明し、最後に実施例１による効果を説明する。なお、以下では、ＳＯＮＥＴ／ＳＤＨ上で伝送されるＶＣＡＴ信号の回線品質確認を行う場合について説明するが、ＰＤＨ上で伝送されるＶＣＡＴ信号の回線品質確認を行う場合やＯＴＮ上で伝送されるＶＣＡＴ信号の回線品質確認を行う場合についても適用することができる。
【００２０】
［ＶＣＡＴ伝送装置の構成］
まず最初に、図１を用いて、ＶＣＡＴ伝送装置１０の構成を説明する。図１は、実施例１に係るＶＣＡＴ伝送装置１０の構成を示すブロック図である。図２は、ＶＣＡＴ伝送装置におけるＥｏＳ処理部の詳しい構成を示すブロック図である。図３は、ＶＣＡＴメンバにコピーマッピングされたＰＲＢＳ信号の信号系列を示す図である。図４は、受信時遅延調整することでＰＲＢＳ信号との比較が行われる様子を示す図である。図５は、ＶＣＡＴ  ＰＲＢＳエラーレートの算出式を示す図である。
【００２１】
図１に示すように、このＶＣＡＴ伝送装置１０は、ＥｏＳ（Ethernet（登録商標）Over  SDH/SONET）処理部１１、クロスコネクト（ＸＣ）処理部１２、ＳＴＭ（Synchronous  Transport  Module）多重化処理部１３Ａ、１３Ｂ、監視制御部１４を有し、ＶＣＡＴ伝送装置１０の初期設定やモニタ機能設定の指示等を行うＣＲＡＦＴ端末２０と接続される。以下にこれらの各部の処理を説明する。
【００２２】
ＥｏＳ処理部１１は、ＰＲＢＳ送信機能部１１ａ、Ｅｔｈｅｒ  ＳＤＨ処理部１１ｂ、ＰＲＢＳモニタ機能部１１ｃを有する（ＥｏＳ処理部１１の詳しい構成については、後に図２を用いて詳述）。ＰＲＢＳ送信機能部１１ａは、回線の品質を確認するために、テスト信号であるＰＲＢＳ（Pseudo-Random  Bit  Sequence）信号を送信する。ＰＲＢＳモニタ機能部１１ｃは、伝送されるＶｉｒｔｕａｌ  Ｃｏｎｃａｔｅｎａｔｉｏｎ（ＶＣＡＴ）信号の回線品質を評価する。
【００２３】
Ｅｔｈｅｒ  ＳＤＨ処理部１１ｂは、ＳＤＨフレームにマッピングされたイーサネット（登録商標）フレームをクロスコネクト処理部１２に転送する。
【００２４】
クロスコネクト（ＸＣ）処理部１２は、ＥｏＳ処理部１１またはＳＴＭ多重化処理部１３Ａ、１３Ｂから出力される信号に対してクロスコネクト処理を行う。すなわち、クロスコネクト処理部１２は、ＥｏＳ処理部１１またはＳＴＭ多重化処理部１３Ａ、１３Ｂから出力される信号が正しく送信先へ送信されるように回線の設定を行い、ＥｏＳ処理部１１またはＳＴＭ多重化処理部１３Ａ、１３Ｂへ出力する。
【００２５】
ＳＴＭ多重化処理部１３Ａ、１３Ｂは、伝送経路を多重化し、ルートＡ、ルートＢを用いてＳＤＨ信号を外部装置に伝送する。
【００２６】
また、ＳＴＭ多重化処理部１３Ａ、１３Ｂは、ルートＡ、ルートＢから受信したＳＤＨ信号を多信分離し、ＸＣ処理部１２へ転送する。ＸＣ処理部１２は、ＳＴＭ多重化処理部１３Ａ、１３Ｂから入力された信号をＥｏＳ処理部１１へ転送する。ＥｏＳ処理部１１は、ＳＤＨフレームを受信し、ＳＤＨフレームにマッピングされたイーサネットフレームを復元し、パケットをクライアント装置に送信する。
【００２７】
監視制御部１４は、ＣＲＡＦＴ端末２０から初期設定やＶＣＡＴ回路品質評価開始の指示を受け付け、受け付けた指示に基づいて、ＥｏＳ処理部１１への設定を行う。また、監視制御部１４は、ＶＣＡＴメンバ個別のエラーレートや、ＶＣＡＴ全体（必要によっては分割伝送された経路単位）でのエラーレート等の回線品質に関する情報をＣＲＡＦＴ端末２０に表示させる。
【００２８】
ここで、図２を用いてＥｏＳ処理部１１について詳しく説明する。同図に示すように、ＥｏＳ処理部１１のＰＲＢＳ送信機能部１１ａは、擬似ランダムビット系列のテスト信号をコピーし、ＶＣＡＴ信号のメンバにそれぞれ同一のＰＲＢＳ信号を挿入するように制御するが、特に、ＰＲＢＳ  ＧＥＮＥＲＡＴＯＲ１１０ａと、ＤＡＴＡ  ＢＹＴＥ  ＣＯＰＹ部１１１ａを有する。
【００２９】
ＰＲＢＳ  ＧＥＮＥＲＡＴＯＲ１１０ａは、テスト信号であるＰＲＢＳ信号（例えば、ＰＮ２３段信号）を発生させて、ＤＡＴＡ  ＢＹＴＥ  ＣＯＰＹ部１１１ａまたはＥｔｈｅｒ  ＳＤＨ処理部１１ｂに出力する。
【００３０】
ＤＡＴＡ  ＢＹＴＥ  ＣＯＰＹ部１１１ａは、ＰＲＢＳ信号をコピーし、ＶＣＡＴメンバそれぞれに対してデータ系列が保たれたＰＲＢＳ信号を挿入するように制御する。
【００３１】
具体的には、図３に示すように、ＶＣＡＴ全体に送信されるシリアルのＰＲＢＳ（例えばＰＮ２３段信号）を逆多重されるＶＣ４信号複数（７ヶ）それぞれに同一のＰＮ２３段信号が挿入されるように制御する（結果的に、伝送スピードが１／７になったＰＮ２３段信号が個々のＶＣ４信号にマッピングされパラレル伝送されることになる）。そして、個々のＶＣ４に意味のあるテスト信号（ＰＲＢＳ信号）で回線品質を求めることができようにする。
【００３２】
なお、シリアルのＰＲＢＳ信号をコピーし、ＶＣＡＴメンバ個々のＶ４信号にコピーされたデータのマッピングを行うことで、送信されているテストパターンがＶＣ４全てにおいて同一になることから、ＰＲＢＳ生成機能は１つでよい。
【００３３】
Ｅｔｈｅｒ  ＳＤＨ処理部１１ｂは、ＰＲＢＳ信号が挿入されたＶＣＡＴ信号の各メンバを複数の伝送路で対向装置に送信し、対向装置からＶＣＡＴ信号の各メンバを受信する。Ｅｔｈｅｒ  ＳＤＨ処理部１１ｂは、ＢＷＢ（Back  Wiring  Board）伝送処理部１１０ｂ、ＶＣ信号処理部１１１ｂ、ＶＣＡＴ信号処理部１１２ｂ、Ｄｉｆｆｅｒｅｎｃｅ  Ｄｅｌａｙ  Ｃｏｍｐｅｎｓａｔｅ１１３ｂ、ＧＦＰ  ＭＡＰ／Ｄｅｍａｐ処理部１１４ｂ、Ｅｔｈｅｒｎｅｔ信号処理部１１１５ｂを有する。
【００３４】
ＢＷＢ（Back  Wiring  Board）伝送処理部１１０ｂは、同一のＰＮ２３段信号（ＰＲＢＳ信号）がそれぞれ挿入されたＶＣ４＃１〜＃７の信号を対向するＶＣＡＴ伝送装置に伝送する。
【００３５】
ＶＣ４＃１〜＃７の各ＶＣ信号処理部１１１ｂは、ＰＯＨ（Ｐａｔｈ  Ｏｖｅｒ  Ｈｅａｄ）の処理をする。具体的には、各ＶＣ信号処理部１１１ｂは、ＶＣＡＴ信号処理部１１２ｂからＶＣ−４信号を受信し、ＶＣ−４信号にＰＯＨの設定をおこなう。
【００３６】
ＶＣＡＴ信号処理部１１２ｂは、ＤＡＴＡ  ＢＹＴＥ  ＣＯＰＹ部１１１ａによってコピーされたＰＲＢＳ信号をそれぞれＶＣ４信号にマッピングして、ＶＣ４＃１〜＃７の各ＶＣ信号処理部１１１ｂに送信し、テストパターンがＶＣ４全てにおいて同一になるように制御している。具体的には、ＶＣＡＴ信号処理部１１２ｂは、ＶＣＡＴ全体に送信されるシリアルのＰＲＢＳ信号であって、ＶＣ４＃１〜＃７それぞれが同一のＰＮ２３段信号を、個々のＶＣ４にテスト信号として挿入する。なお、ＶＣＡＴ信号処理部１１２ｂ前段のセレクタ（ＳＥＬ）で通常のＥｔｈｅｒｎｅｔ（ＧＦＰ）フレーム／シリアルのＰＲＢＳ信号／バイトＣＯＰＹ  ＰＲＢＳ信号が選択されることで、ＰＲＢＳ機能の無効または有効を制御する（制御はＣＲＡＦＴ端末２０を通じてオペレーターが設定する）。
【００３７】
Ｄｉｆｆｅｒｅｎｃｅ  Ｄｅｌａｙ  Ｃｏｍｐｅｎｓａｔｅ１１３ｂでは、ＶＣＡＴメンバそれぞれに対し、経路差に対応した遅延が吸収されることでマッピングされているＰＲＢＳ信号の位相差がそろえられる。具体的には、Ｄｉｆｆｅｒｅｎｃｅ  Ｄｅｌａｙ  Ｃｏｍｐｅｎｓａｔｅ１１３ｂは、図４に示すように、信号受信時、ＶＣＡＴメンバ毎に伝送経路がことなることに起因する遅延（Ｄｉｆｆｒｅｎｔｉａｌ  Ｄｅｌａｙ）を吸収させる為にＶＣＡＴ信号復元時に装置内で得られる遅延情報（Ｄｉｆｆｒｅｎｔｉａｌ  Ｄｒａｌａｙ値）を用いて個々の受信信号のＰＲＢＳモニタタイミングを一致させる。
【００３８】
その後、後述するＥＲＲ  Ｒａｔｅ  ＣＡＬＣ１１０ｃが、複数（図の例では、７つ）のＶＣＡＴメンバを同時に検査する。これにより、送信されているテストパターンがＶＣ４全てにおいて同一であるから、モニタのためのＰＲＢＳ生成機能は１つでよくなる。
【００３９】
ＧＦＰ  ＭＡＰ／Ｄｅｍａｐ処理部１１４ｂは、取得した各情報をＥｔｈｅｒｎｅｔ（ＧＦＰ）フレームの形式にマッピングし、また、取得したＥｔｈｅｒｎｅｔ（ＧＦＰ）フレームから、データを抽出する。
【００４０】
Ｅｔｈｅｒｎｅｔ信号処理部１１５ｂは、ＧＦＰ  ＭＡＰ／Ｄｅｍａｐ処理部１１４ｂによってＧＦＰフレームの形式にマッピングされたイーサネットのパケットを図示しないクライアント装置に送信する。
【００４１】
ＰＲＢＳモニタ機能部１１ｃは、ＶＣＡＴ信号のメンバに挿入されているテスト信号を用いて、ＶＣＡＴ信号のメンバを個別に評価し、各伝送路の回線品質を算出する。ＰＲＢＳモニタ機能部１１ｃは、個別ＥＲＲ  Ｒａｔｅ  ＣＡＬＣ１１０ｃ、ＰＲＢＳ  ＧＥＮＥＲＡＴＯＲ１１１ｃ、全体ＥＲＲ  Ｒａｔｅ  ＣＡＬＣ１１２ｃを有する。
【００４２】
個別ＥＲＲ  Ｒａｔｅ  ＣＡＬＣ１１０ｃは、ＶＣＡＴメンバを個別に評価して、エラーレートをそれぞれ算出する。具体的には、個別ＥＲＲ  Ｒａｔｅ  ＣＡＬＣ１１０ｃは、Ｄｉｆｆｅｒｅｎｃｅ  Ｄｅｌａｙ  Ｃｏｍｐｅｎｓａｔｅ１１３ｂによって個々の受信信号のＰＲＢＳモニタタイミングが一致された複数（７つ）のＶＣＡＴメンバを同時に検査する。
【００４３】
また、個別ＥＲＲ  Ｒａｔｅ  ＣＡＬＣ１１０ｃは、算出した各ＶＣＡＴメンバのエラーレートを用いて、ＶＣＡＴ全体（必要によっては分割伝送された経路単位）でのエラーレートを算出することでＶＣＡＴ回線品質情報を得る（図５の算出式参照）。
【００４４】
ＰＲＢＳ  ＧＥＮＥＲＡＴＯＲ１１１ｃは、テスト信号であるＰＲＢＳ信号（例えば、ＰＮ２３段信号）を発生させ、モニタ処理のために、個別ＥＲＲ  Ｒａｔｅ  ＣＡＬＣ１１０ｃおよび全体ＥＲＲ  Ｒａｔｅ  ＣＡＬＣ１１２ｃに出力する。なお、ここでのＰＲＢＳ  ＧＥＮＥＲＡＴＯＲ１１１ｃは、送信されているテストパターンがＶＣ４全てにおいて同一であるから、１つである。
【００４５】
全体ＥＲＲ  Ｒａｔｅ  ＣＡＬＣ１１２ｃは、ＶＣＡＴ全体のエラーレートを算出する。具体的には、全体ＥＲＲ  Ｒａｔｅ  ＣＡＬＣ１１２ｃは、ＶＣＡＴ信号処理の後段のセレクタから、ＶＣＡＴ全体に対してシリアルに挿入されたＰＲＢＳ信号を受信し、ＶＣＡＴ全体のエラーレートを算出する。
【００４６】
［ＶＣＡＴ伝送装置による処理］
次に、図６―１および図６−２を用いて、実施例１に係るＶＣＡＴ伝送装置１０による処理を説明する。図６−１および図６−２は、実施例１に係るＶＣＡＴ伝送装置１０の処理動作を示すフローチャートである。ここで、図６−１では、ＶＣＡＴメンバを送信するＶＣＡＴ伝送装置１０Ａについて説明し、図６−２では、ＶＣＡＴメンバを受信し、ＶＣＡＴメンバを評価するＶＣＡＴ伝送装置１０Ｂについて説明する。
【００４７】
図６−１に示すように、ＶＣＡＴ伝送装置１０Ａは、ＶＣＡＴ回路品質評価開始の指示をＣＲＡＦＴ端末２０から受け付けると（ステップＳ１０１肯定）、ＰＲＢＳ信号をコピーし、ＶＣＡＴメンバ個々のＶ４信号に同一のＰＲＢＳをマッピングする（ステップＳ１０２）。
【００４８】
そして、ＶＣＡＴ伝送装置１０Ａは、各ＶＣＡＴメンバを対向するＶＣＡＴ伝送装置にＳＤＨネットワークのルートＡおよびルートＢを介して送信する（ステップＳ１０３）。
【００４９】
続いて、図６−２を用いて、ＶＣＡＴ伝送装置１０Ｂが受信し、ＶＣＡＴメンバを評価する処理を説明する。同図に示すように、ＶＣＡＴ伝送装置１０Ｂは、ルートＡおよびルートＢを介して各ＶＣＡＴメンバを受信する（ステップＳ２０１）。ここで、ＶＣＡＴ伝送装置１０Ｂは、ＶＣＡＴメンバそれぞれに対し、経路差に対応した遅延が吸収してマッピングされているＰＲＢＳ信号の位相差はそろえる。
【００５０】
そして、ＶＣＡＴ伝送装置１０Ｂは、ＶＣＡＴメンバを個別に評価して、エラーレートをそれぞれ算出する（ステップＳ２０２）。また、ＶＣＡＴ伝送装置１０Ｂは、ＶＣＡＴメンバのエラーレートを用いて、ＶＣＡＴ全体（または、分割伝送された経路単位）のエラーレートを算出する（ステップＳ２０３）。
【００５１】
[実施例１の効果]
上述してきたように、ＶＣＡＴ伝送装置１０は、擬似ランダムビット系列のテスト信号をコピーし、ＶＣＡＴ信号のメンバにそれぞれ同一のＰＲＢＳ信号を挿入するように制御し、ＰＲＢＳ信号が挿入されたＶＣＡＴ信号の各メンバを複数の伝送路で対向装置に送信する。その後、ＶＣＡＴ伝送装置１０は、対向装置からＶＣＡＴ信号の各メンバを受信し、受信されたＶＣＡＴ信号のメンバに挿入されているＰＲＢＳ信号を用いて、ＶＣＡＴ信号のメンバを個別に評価し、各伝送路の回線品質を算出する。このため、ＶＣＡＴ伝送において、伝送路が分割されたネットワークの伝送路毎のエラーレートの算出ができ、かつ、ＶＣＡＴメンバ個別のエラーレートを１組のＰＲＢＳ回路だけで算出できる。この結果、伝送路ごとの回線品質を効率的に評価することが可能である。
【００５２】
また、実施例１によれば、ＶＣＡＴ伝送装置１０は、ＰＲＢＳ信号をコンカチネーション信号全体に対して挿入し、ＶＣＡＴ信号全体に挿入されているテスト信号を用いて、ＶＣＡＴ信号全体の回線品質を算出するので、従来と同様なＶＣＡＴ全体のエラーレートを算出機能も同時に併せ持つことが可能である。
【００５３】
また、実施例１によれば、ＶＣＡＴ伝送装置１０は、各伝送路の回線品質を用いて、ＶＣＡＴ信号全体の回線品質を算出するので、ＶＣＡＴ全体のエラーレートを伝送路が分割されたネットワークを考慮したかたちで算出することが可能である。
【実施例２】
【００５４】
さて、これまで本発明の実施例について説明したが、本発明は上述した実施例以外にも、種々の異なる形態にて実施されてよいものである。そこで、以下では実施例２として本発明に含まれる他の実施例を説明する。
【００５５】
（１）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、ＰＲＢＳ送信機能部１１ａとＰＲＢＳモニタ機能部１１ｂを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５６】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５７】
（２）プログラム
なお、本実施例で説明した回線品質評価方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００５８】
１０  ＶＣＡＴ伝送装置
１１  ＥｏＳ処理部
１１ａ  ＰＲＢＳ送信機能部
１１０ａ  ＰＲＢＳ  ＧＥＮＥＲＡＴＯＲ
１１１ａ  ＤＡＴＡ  ＢＹＴＥ  ＣＯＰＹ部
１１ｂ  Ｅｔｈｅｒ  ＳＤＨ処理部
１１０ｂ  ＢＷＢ伝送処理部
１１１ｂ  ＶＣ信号処理部
１１２ｂ  ＶＣＡＴ信号処理部
１１３ｂ  Ｄｉｆｆｅｒｅｎｃｅ  Ｄｅｌａｙ  Ｃｏｍｐｅｎｓａｔｅ
１１４ｂ  ＧＦＰ  ＭＡＰ／Ｄｅｍａｐ処理部
１１５ｂ  Ｅｔｈｅｒｎｅｔ信号処理部
１１ｃ  ＰＲＢＳモニタ機能部
１１０ｃ  個別ＥＲＲ  Ｒａｔｅ  ＣＡＬＣ
１１１ｃ  ＰＲＢＳ  ＧＥＮＥＲＡＴＯＲ
１１２ｃ  全体ＥＲＲ  Ｒａｔｅ  ＣＡＬＣ
１２  クロスコネクト処理部
１３Ａ、１３Ｂ  ＳＴＭ多重化処理部
１４  監視制御部
【図１】
2010193102.tif 000003
【図２】
2010193102.tif 000004
【図３】
2010193102.tif 000005
【図４】
2010193102.tif 000006
【図５】
2010193102.tif 000007
【図６−１】
2010193102.tif 000008
【図６−２】
2010193102.tif 000009
【図７】
2010193102.tif 000010
【図８】
2010193102.tif 000011
【図９】
2010193102.tif 000012
【図１０】
2010193102.tif 000013
【手続補正書】
【提出日】平成22年1月26日(2010.1.26)
【手続補正１】
【補正対象書類名】明細書
【補正対象項目名】００３２
【補正方法】変更
【補正の内容】
【００３２】
なお、シリアルのＰＲＢＳ信号をコピーし、ＶＣＡＴメンバ個々のＶＣ４信号にコピーされたデータのマッピングを行うことで、送信されているテストパターンがＶＣ４全てにおいて同一になることから、ＰＲＢＳ生成機能は１つでよい。
【手続補正２】
【補正対象書類名】明細書
【補正対象項目名】００３８
【補正方法】変更
【補正の内容】
【００３８】
その後、後述する個別ＥＲＲ  Ｒａｔｅ  ＣＡＬＣ１１０ｃが、複数（図の例では、７つ）のＶＣＡＴメンバを同時に検査する。これにより、送信されているテストパターンがＶＣ４全てにおいて同一であるから、モニタのためのＰＲＢＳ生成機能は１つでよくなる。
【手続補正３】
【補正対象書類名】明細書
【補正対象項目名】００４５
【補正方法】変更
【補正の内容】
【００４５】
全体ＥＲＲ  Ｒａｔｅ  ＣＡＬＣ１１２ｃは、ＶＣＡＴ全体のエラーレートを算出する。具体的には、全体ＥＲＲ  Ｒａｔｅ  ＣＡＬＣ１１２ｃは、ＶＣＡＴ信号処理部１１２ｂの後段のセレクタから、ＶＣＡＴ全体に対してシリアルに挿入されたＰＲＢＳ信号を受信し、ＶＣＡＴ全体のエラーレートを算出する。
【手続補正４】
【補正対象書類名】明細書
【補正対象項目名】００５５
【補正方法】変更
【補正の内容】
【００５５】
（１）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、ＰＲＢＳ送信機能部１１ａとＰＲＢＳモニタ機能部１１ｃを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【手続補正５】
【補正対象書類名】特許請求の範囲
【補正対象項目名】全文
【補正方法】変更
【補正の内容】
【特許請求の範囲】
【請求項１】
擬似ランダムビット系列のテスト信号をコピーし、コンカチネーション信号のメンバにそれぞれ同一のテスト信号を挿入するように制御するテスト信号制御部と、
前記テスト信号制御部によって前記テスト信号が挿入されたコンカチネーション信号の各メンバを複数の伝送路で対向装置に送信するコンカチネーション信号送信部と、
前記対向装置からコンカチネーション信号の各メンバを受信するコンカチネーション信号受信部と、
前記コンカチネーション信号受信部によって受信された前記コンカチネーション信号のメンバに挿入されているテスト信号を用いて、コンカチネーション信号のメンバを個別に評価し、各伝送路の回線品質を算出する個別回線品質算出部と、
を備えることを特徴とする伝送装置。
【請求項２】
前記テスト信号制御部は、前記テスト信号をコンカチネーション信号全体に対して挿入し、
前記コンカチネーション信号受信部によって受信された前記コンカチネーション信号全体に挿入されているテスト信号を用いて、前記コンカチネーション信号全体の回線品質を算出する全体回線品質算出部をさらに備えることを特徴とする請求項１に記載の伝送装置。
【請求項３】
前記個別回線品質算出部は、算出された前記各伝送路の回線品質を用いて、コンカチネーション信号全体の回線品質を算出することを特徴とする請求項１または２に記載の伝送装置。
【請求項４】
擬似ランダムビット系列のテスト信号をコピーし、コンカチネーション信号のメンバにそれぞれ同一のテスト信号を挿入するように制御するテスト信号制御ステップと、
前記テスト信号制御ステップによって前記テスト信号が挿入されたコンカチネーション信号の各メンバを複数の伝送路で対向装置に送信するコンカチネーション信号送信ステップと、
前記対向装置からコンカチネーション信号の各メンバを受信するコンカチネーション信号受信ステップと、
前記コンカチネーション信号受信ステップによって受信された前記コンカチネーション信号のメンバに挿入されているテスト信号を用いて、コンカチネーション信号のメンバを個別に評価し、各伝送路の回線品質を算出する個別回線品質算出ステップと、
を含んだことを特徴とする回線品質評価方法。
【手続補正６】
【補正対象書類名】図面
【補正対象項目名】図６−１
【補正方法】変更
【補正の内容】
【図６−１】
2010193102.tif 000014
【手続補正７】
【補正対象書類名】図面
【補正対象項目名】図７
【補正方法】変更
【補正の内容】
【図７】
2010193102.tif 000015